(57)【特許請求の範囲】
【請求項１】
便器と、該便器に載置される便座と、該便座を温める便座用発熱ヒータと、回動可能な便蓋と、人体を検知する人体検知センサと、前記便蓋の開閉を検知する便蓋開閉センサ手段とを備え、前記人体検知センサが人体を検知したときは、前記便座用発熱ヒータの温度を第1の設定温度Ｔ１に設定し、前記人体検知センサが人体を検知せず且つ前記便蓋開閉センサ手段が前記便蓋の開を検知したときは前記便座用発熱ヒータの温度を前記第1の設定温度Ｔ１よりΔｔ１低くした第２の設定温度Ｔ２に設定し、前記人体検知センサが人体を検知せず且つ前記便蓋開閉センサ手段が前記便蓋の閉を検知したときは前記便座用発熱ヒータの温度を前記第２の設定温度Ｔ２よりΔｔ２低くした第３の設定温度Ｔ３に設定するように制御される制御装置を備えたことを特徴とする便器装置。
【発明の詳細な説明】
【０００１】
【発明の属する技術分野】
本発明は、便座と便蓋を有し便座がヒータにより温められる暖房便座を備えた便器装置に関する。
【０００２】
【従来の技術】
従来より、便器装置に人体検知機能を持たせて、便座のヒータを付勢する便器装置がある。この装置として、特開昭６２−１０１２０号公報がある。この装置は、暖房便座を備えた便器装置において、使用者の有無を検知する人体検知センサが作動している時は、暖房便座の表面温度が設定温度にて制御される。人体検知センサが作動していないときは、省エネを目的として、従来の設定温度より低く設定されている。
【０００３】
【発明が解決しようとする課題】
しかしながら、本装置は、人体検知センサが作動していない時に設定温度を低く制御しているが、便蓋の開閉に関係なく一定に制御されており、便蓋閉の時は有効であるが、便蓋開の時は放熱が多く設定温度を下げた時、外気温が低かった場合、表面温度が低くなり、使用者が着座したとき不快感を感じるといった課題があった。
【０００４】
本発明は上記課題を解決したもので、便蓋開時には放熱が多いため使用者に不快感を与えないように、省エネのために従来の低くした設定温度よりも高めに設定することで、快適に使用することができ、又便蓋閉の状態では放熱が少ないことを考慮し、前記の従来の低くした設定温度よりも更に低く設定することができる便器装置を提供するものである。
【０００５】
【課題を解決するための手段】
上記技術的課題を解決するために、本発明の請求項１において講じた技術的手段（以下、第１の技術的手段と称する。）は、
便器と、該便器に載置される便座と、該便座を温める便座用発熱ヒータと、回動可能な便蓋と、人体を検知する人体検知センサと、前記便蓋の開閉を検知する便蓋開閉センサ手段とを備え、前記人体検知センサが人体を検知したときは、前記便座用発熱ヒータの温度を第1の設定温度Ｔ１に設定し、前記人体検知センサが人体を検知せず且つ前記便蓋開閉センサ手段が前記便蓋の開を検知したときは前記便座用発熱ヒータの温度を前記第1の設定温度Ｔ１よりΔｔ１低くした第２の設定温度Ｔ２に設定し、前記人体検知センサが人体を検知せず且つ前記便蓋開閉センサ手段が前記便蓋の閉を検知したときは前記便座用発熱ヒータの温度を前記第２の設定温度Ｔ２よりΔｔ２低くした第３の設定温度Ｔ３に設定するように制御される制御装置を備えたことを特徴とする便器装置である。
【０００６】
上記第１の技術的手段による効果は、以下のようである。
【０００７】
即ち、便蓋開時には放熱が多いため使用者に不快感を与えないように、省エネのために従来の低くした設定温度よりも高めに設定することで、快適に使用することができ、又便蓋閉の状態では放熱が少ないことを考慮し、前記の従来の低くした設定温度よりも更に低く設定することができるといった効果を有する。
【０００８】
上記技術的課題を解決するために、本発明の請求項２において講じた技術的手段（以下、第２の技術的手段と称する。）は、
前記便蓋開閉センサ手段は、本体内に収納され、前記便蓋の回転軸には便蓋開閉センサを配設し、該便蓋開閉センサ近傍には便蓋開閉検出体を配設して前記便蓋の開閉を検知することを特徴とする請求項１記載の便器装置である。
【０００９】
上記第２の技術的手段による効果は、以下のようである。
【００１０】
本体内部への組付が可能で、便蓋開閉センサ手段が表面に露出しないため、洗剤や尿の付着や外的衝撃による故障が防止可能となる。
【００１１】
【発明の実施の形態】
以下、本発明の実施例について、図面に基づいて説明する。
【００１２】
本例の便器装置は、人体の局部を洗浄する便器装置を実施例として説明する。本実施例の便器装置１は、図１に示すごとく、温水洗浄手段６と温風乾燥手段とを有する本体１０と、本体１０に設けた本体スイッチパネル２とよりなる。
【００１３】
上記各手段は本体スイッチパネル２により操作できるように構成してある。上記本体１０は、洗浄ノズル６１、６２等よりなる温水洗浄手段６、温風乾燥手段（図示略）を有している。また本体１０は、便座８１、便蓋８２を備え、陶器製便器８３の上方に配置してある。
【００１４】
また、本体１０の側部上面には、上記本体スイッチパネル２を配置してある。
【００１５】
本体スイッチパネル２は、肛門洗浄、ビデ洗浄、温風乾燥等の作動をストップさせるストップボタン２０、肛門洗浄用操作ボタン２１、ソフトな洗浄が可能なソフト肛門洗浄用操作ボタン２９、ビデ洗浄用操作ボタン２２、温風を吹き出させるドライボタン２３が配設されている。
【００１６】
また、便座の温度の高さを調整するための便座ボタン３０、肛門洗浄等の水温を調整する温水ボタン３１が配置されている。さらに、図示されていないが、洗浄の広がりを調整するためのワイド洗浄入／切ボタン、洗浄位置前進ボタン、その後退ボタンが配設されている。また、洗浄強さを調整する強、弱ボタンからなる洗浄強さボタン、また人体の有無を検知する人体検知センサＳが本体１０の側部上面に配設されている。さらに図示しないが、後述する前記温水用発熱ヒータあるいは便座用発熱ヒータの付勢を選択可能とするスイッチボタンを便器装置に備えている。それゆえ、通常モードから節電モードへの切り換え（あるいは逆）を選択可能とすることができる。
【００１７】
図1に示すように、本体１０内の便蓋８２と便座８１の回動部周辺には、便蓋回転軸２０１と便座回転軸２０５とが同軸上となり、便蓋８２と結合している便蓋回転軸２０１には、便蓋開閉センサ装置（手段）２００が配設されている。この便蓋開閉センサ装置２００の便蓋回転軸２０１には、便蓋開閉センサ２０４が配設されている。またこの抵抗体２０４と対向する近傍位置に便蓋開閉検出体２０２が配設されている。この便蓋開閉センサ装置２００において、便蓋回転軸２０１の回転により、便蓋開閉センサ２０４と便蓋開閉検出体２０２が離間したり相対向したりして便蓋８２の開閉状態を検知する。
【００１８】
なお図３は便座回転軸２０５と便蓋回転軸２０１が同心状に配設されており、、便座回転軸２０５と便蓋回転軸２０１が、本体１０の貫通孔１０ａ内に嵌挿されている図である。
【００１９】
図４は本発明の便蓋の開閉を検知する便蓋開閉検出体２０２、制御装置になるマイコンＭ、便座用発熱ヒータＨ１のブロック図である。マイコンＭは便器
装置のコントロール基板の中に配設されている。このブロック図より、便蓋開閉センサ装置２００が便蓋８３の開閉状態を検知し、便蓋開閉装置２００からの信号がマイコンに取り込まれ、マイコンＭが出力する信号にて便座用発熱ヒータＨ１の温度を下記に示すフローチャートにより制御される。
【００２０】
続いて、本発明の制御装置（マイコンＭ）のフローチャート図を図５に示す。
【００２１】
Ｐ１のステップにおいて、人体検知センサＳにより人体を検出した場合にはＰ３のステップに進む。Ｐ３のステップにおいては、第1の設定温度Ｔ１（４０度）に設定する。また人体検知センサＳにより人体を検出しない場合はＰ２のステップに進む。
【００２２】
このＰ２のステップにおいて、便蓋開閉センサ装置２００により、便蓋８２の開を検知した時、前記設定温度Ｔ１よりΔｔ１（２度）低い温度で第2の設定温度Ｔ２＝Ｔ１−Δｔ１に設定される。
【００２３】
またＰ２のステップにおいて、便蓋開閉センサ装置２００により、便蓋８２の閉を検知した時、前記第２設定温度Ｔ２よりもさらにΔｔ２（２度）低い温度で、第3の設定温度Ｔ３＝Ｔ２−Δｔ２に設定される。
【００２４】
なお、上記第１の設定温度Ｔ１、第２の設定温度Ｔ２、第3の設定温度Ｔ３の関係は、Ｔ１>Ｔ２>Ｔ３の関係になる。
【００２６】
本発明は上記構成により、便蓋開時には放熱が多いため使用者に不快感を与えないように、省エネのために従来の低くした設定温度よりも高めに設定することで、快適に使用することができ、又便蓋閉の状態では放熱が少ないことを考慮し、前記の従来の低くした設定温度よりも更に低く設定することができるといった効果を有する。
【００２７】
なお、本実施例では、人体検知センサをトイレ内に入室した人体を検知する実施例を示したが、便座８１内に埋設された静電容量方式の着座センサにより、使用者が便座８１に着座したときに静電容量の変化により、その人体の有無を検知する人体検知センサであってもよく、その他どのような人体検知センサであってもよい。
【００２８】
また本発明の実施例では、便蓋開閉センサを便蓋回転軸に、便蓋開閉検出体を本体側に配設した実施例を示したが、便蓋開閉センサを本体側に、便蓋開閉検出体を便蓋回転軸に配設してもよい。
【００２９】
【発明の効果】
本発明は、以下の如く効果を有する。
【００３０】
即ち、便器と、該便器に載置される便座と、該便座を温める便座用発熱ヒータと、回動可能な便蓋と、人体を検知する人体検知センサと、前記便蓋の開閉を検知する便蓋開閉センサ手段とを備え、前記人体検知センサにより人体を検知したときは、第1の設定温度Ｔ１に設定し、前記人体検知センサにより人体を検知していないときは、前記第1の設定温度Ｔ１よりΔｔ１低くした第２の設定温度Ｔ２に設定し、前記便蓋の閉を検知したとき前記第２の設定温度Ｔ２よりΔｔ２低くした第３の設定温度Ｔ３に設定するように制御される制御装置を備えたことを特徴とする便器装置であるので、便蓋開時には放熱が多いため使用者に不快感を与えないように、省エネのために従来の低くした設定温度よりも高めに設定することで、快適に使用することができ、又便蓋閉の状態では放熱が少ないことを考慮し、前記の従来の低くした設定温度よりも更に低く設定することができるといった効果を有する。
【図面の簡単な説明】
【図１】本発明の便器装置の全体斜視図
【図２】本発明の便蓋開閉センサと便蓋開閉検出体の斜視図
【図３】本発明の便蓋回転軸に関する図１のＡ視図
【図４】本発明の便蓋開閉センサ、便座用発熱ヒータ、マイコンとの関係を表すブロック図
【図５】本発明のフローチャート図
【符号の説明】
８３…便器
８１…便座
８２…便蓋
Ｈ１…便座用発熱ヒータ
２００…便蓋開閉センサ装置（便蓋開閉センサ手段）
２０４…便蓋開閉センサ
２０２…便蓋開閉検出体
１０…本体
Ｍ…マイコン（制御装置）
【図１】
0004296614.tif 000002
【図２】
0004296614.tif 000003
【図３】
0004296614.tif 000004
【図４】
0004296614.tif 000005
【図５】
0004296614.tif 000006